Podtech/llm-jp-corpus-v4-ja_patent huggingface dataset:
【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】
【請求項１】
エレクトロルミネッセンス層を備えたディスプレイ装置を形成するための基板装置であって、
その一方の側に導電表面を備えており、酸素及び水に対して不浸透性である、柔軟性を有するベース層と、
電気的絶縁緩衝層によって形成された複数の井戸部であって、それぞれ、前記導電表面に電気的に接続された電極層を備える、複数の井戸部と、
前記井戸部を被っており、酸素及び水に対して不浸透性である、除去可能な保護層と、
を含んで成り、前記電極層が、３．５ｅＶより低い仕事関数を有する金属を含む、基板装置。
【請求項２】
エレクトロルミネッセンス層を備えたディスプレイ装置を形成するための基板装置であって、
その一方の側に導電表面を備えており、酸素及び水に対して不浸透性である、柔軟性を有するベース層と、
電気的絶縁緩衝層によって形成された複数の井戸部であって、それぞれ、前記導電表面に電気的に接続された電極層を備える、複数の井戸部と、
前記井戸部を被っており、酸素及び水に対して不浸透性である、除去可能な保護層と、
を含んで成る、基板装置。
【請求項３】
前記金属が、アルカリ金属、アルカリ土類金属、又は希土類金属である、請求項２に記載の基板装置。
【請求項４】
前記金属が、Ｃａ、Ｌｉ、Ａｌ、Ｍｇ、又はＣａ、Ｌｉ、Ａｌ若しくはＭｇの合金から構成されるグループから選択される、請求項３に記載の基板装置。
【請求項５】
前記電極層が、アルカリ金属又はアルカリ土類金属の酸化物又はフッ化物の層を備えた、Ａｇ又はＡｌの金属層を含む、請求項２に記載の基板装置。
【請求項６】
前記アルカリ金属又はアルカリ土類金属の酸化物又はフッ化物が、ＣａＯ、Ｌｉ2Ｏ、ＭｇＯ、ＬｉＦ、ＭｇＦ2、ＣｓＦ、又は、ＣａＦ2を含む、請求項５に記載の基板装置。
【請求項７】
前記電極層が、ＩＴＯを含む、請求項２に記載の基板装置。
【請求項８】
更に、前記電極層に接触している正孔輸送層を含み、該正孔輸送層が、前記電極層から前記エレクトロルミネッセンス層に正孔を注入する効率を改善する材料を含む、請求項７に記載の基板装置。
【請求項９】
前記井戸部のそれぞれが、更に、前記電極層と接触した電子輸送層を含み、該電子輸送層が、前記電極層から前記エレクトロルミネッセンスに電子を注入する効率を改善する材料を含む、請求項２に記載の基板装置。
【請求項１０】
エレクトロルミネッセンス・ディスプレイを製造するための方法であって、
その一方の側に導電表面を備えた柔軟なベース層を含む基板を設ける工程であって、前記ベース層が、前記ベース層と同じ厚さのPETフィルムよりも酸素及び水に対して少なくとも１０００倍低い浸透性を示し、前記基板が、緩衝層によって形成された複数の井戸部をさらに含み、前記井戸部のそれぞれが、前記導電表面に電気的に接続された電極層を有する、工程と、
前記基板に対して第１の分配装置を移動させて、前記ディスプレイによって発生する照明パターンを定義する信号に応答して、前記基板上の異なる位置に異なる量の第１のエレクトロルミネッセンス材料が堆積させられるように、前記基板上に前記第１のエレクトロルミネッセンス材料を定量堆積させる工程と、
前記第１のエレクトロルミネッセンス材料上に導電材料を堆積させる工程と、
を包含する、製造方法。
【請求項１１】
更に、前記基板上に第２のエレクトロルミネッセンス材料を定量堆積させる工程を包含し、前記第２のエレクトロルミネッセンス材料が、前記第１のエレクトロルミネッセンス材料とは異なる波長の光を放出する、請求項１０に記載の製造方法。
【請求項１２】
前記導電材料が、前記第１のエレクトロルミネッセンス材料への正孔の注入を促進する正孔輸送材料を含む、請求項１０に記載の製造方法。
【請求項１３】
前記導電材料が、前記第１のエレクトロルミネッセンス材料への電子の注入を促進する電子輸送材料を含む、請求項１０に記載の製造方法。
【請求項１４】
更に、前記導電材料の堆積前に、前記ディスプレイにおける前記基板の発光すべきではない位置に、ルミネッセンス特性を有しない材料を堆積させる工程を包含する、請求項１０に記載の製造方法。
【請求項１５】
ルミネッセンス特性を有しない前記材料が、電気的絶縁体である、請求項１４に記載の製造方法。
【手続補正書】
【提出日】平成18年8月31日(2006.8.31)
【手続補正１】
【補正対象書類名】明細書
【補正対象項目名】００４３
【補正方法】変更
【補正の内容】
【００４３】
上記の中間転写体ドラム１６面に合成されたカラートナー画像は、該中間転写体ドラム１６と転写ローラ１５との接触ニップ部である二次転写部Ｔ２において、該二次転写部Ｔ２に不図示の給紙部から所定のタイミングで送り出された被加熱材としての記録材（転写材）Ｐの面に転写されていく。
【手続補正２】
【補正対象書類名】明細書
【補正対象項目名】００８８
【補正方法】変更
【補正の内容】
【００８８】
これによるとｄ＝５ｍｍのとき間隙Ｏに当たる定着フィルム６の温度は設定温調温度どおり１８０℃を示し、ｄ＝１０ｍｍでは１７５℃、ｄ＝１５ｍｍでは１７０となり、温度低下している事が判る。これは励磁コイル４で発生した磁束が磁性コア５の間隙Ｏ部分では途切れてしまうので、定着フィルム６の電磁誘導発熱層６ａにおいて磁束の当たらない部分が発熱しないためである。
【手続補正３】
【補正対象書類名】明細書
【補正対象項目名】００９４
【補正方法】変更
【補正の内容】
【００９４】
これによるとＬ＝３ｍｍのとき間隙Ｏに当たる定着フィルム６の温度は設定温調温度どおり１８０℃を示し、Ｌ＝５ｍｍでは１７５℃、Ｌ＝７ｍｍでは１７０となり、温度低下している事が判る。従って先ほどの距離ｄの温調温度で１７５℃以上で良好な定着性が得られているため、磁性コア５ａと磁性コア５ｂの間隙重なり距離Ｌも５ｍｍ以内とすることで、定着性に影響ない温調温度を定着フィルム６に与えることが出来る。
【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】  基板上にストライプ状に並列配置された第１電極と、当該第１電極の発光部を露出させる位置に立設された複数のリブと、前記第１電極の各発光部上に設けられた有機発光層を有する有機層と、当該有機層を介して前記第１電極の各発光部上に設けられた第２電極とを備えた有機ＥＬディスプレイにおいて、
前記リブは、無機材料からなること
を特徴とする有機ＥＬディスプレイ。
【請求項２】  請求項１記載の有機ＥＬディスプレイにおいて、
前記リブは、前記第１電極と交差する状態でストライプ状に設けられたこと
を特徴とする有機ＥＬディスプレイ。
【請求項３】  請求項２記載の有機ＥＬディスプレイにおいて、
前記リブは、前記発光部側に向かう側壁がオーバーハング形状に成形されていること
を特徴とする有機ＥＬディスプレイ。
【請求項４】  請求項３記載の有機ＥＬディスプレイにおいて、
前記リブは、上層ほどエッチング速度の遅い材料からなる多層構造であること
を特徴とする有機ＥＬディスプレイ。
【請求項５】  請求項４記載の有機ＥＬディスプレイにおいて、
前記リブは、酸化シリコン系材料または窒化シリコン系材料からなる上層と、クロム、ニッケル、チタンまたはモリブデンからなる下層との少なくとも２層からなる多層構造であること
を特徴とする有機ＥＬディスプレイ。
【請求項６】  基板上に第１電極をストライプ状にパターン形成する工程と、
前記第１電極の発光部を露出させる位置に、無機材料からなる複数のリブを立設する工程と、
前記リブ上からの成膜によって、前記第１電極の発光部上に有機発光層を有する有機層を形成する工程と、
前記リブ上からの成膜によって、前記第１電極の発光部上に前記有機層を介して第２電極を形成する工程とを行うこと
を特徴とする有機ＥＬディスプレイの製造方法。
【請求項７】  請求項６記載の有機ＥＬディスプレイの製造方法において、
前記有機層を形成する工程では、前記リブを介して前記基板上にマスクを配置した状態で成膜を行うこと
を特徴とする有機ＥＬディスプレイの製造方法。
【請求項８】  請求項６記載の有機ＥＬディスプレイの製造方法において、
前記リブは、前記第１電極と交差する状態でストライプ状にパターン形成されること
を特徴とする有機ＥＬディスプレイの製造方法。
【請求項９】  請求項８記載の有機ＥＬディスプレイの製造方法において、
前記リブは、前記発光部側に向かう側壁がオーバーハング形状に成形されること
を特徴とする有機ＥＬディスプレイの製造方法。
【請求項１０】  請求項９記載の有機ＥＬディスプレイにおいて、
前記リブを形成する工程では、上層ほどエッチング速度の遅い材料からなる多層膜をパターンエッチングすること
を特徴とする有機ＥＬディスプレイの製造方法。
【請求項１１】  請求項１０記載の有機ＥＬディスプレイにおいて、
前記リブを形成する工程では、酸化シリコン系材料または窒化シリコン系材料からなる上層と、クロム、ニッケル、チタンまたはモリブデンからなる下層との少なくとも２層からなる多層膜を形成し、前記上層をパターニングした後、これをマスクに用いて前記下層を等方性エッチングすること
を特徴とする有機ＥＬディスプレイの製造方法。
【請求項１２】  基板上に画素毎にパターン形成された第１電極と、当該第１電極の発光部を露出させる位置に立設された複数のリブと、前記第１電極の各発光部上に設けられた有機発光層を有する有機層と、当該有機層上に設けられた第２電極とを備えた有機ＥＬディスプレイにおいて、
前記リブは、無機材料からなること
を特徴とする有機ＥＬディスプレイ。
【請求項１３】  基板上に第１電極を画素毎にパターン形成する工程と、
前記第１電極の発光部を露出させる位置に、無機材料からなる複数のリブを立設する工程と、
前記リブをスペーサとしてマスクを載置し、当該マスクを介して前記第１電極の発光部上に有機発光層を有する有機層を形成する工程と、
前記有機層上に第２電極を形成する工程とを行うこと
を特徴とする有機ＥＬディスプレイの製造方法。
【手続補正２】
【補正対象書類名】明細書
【補正対象項目名】００１０
【補正方法】変更
【補正の内容】
【００１０】
また、本発明の有機ＥＬディスプレイの製造方法は、基板上に第１電極をストライプ状にパターン形成し、第１電極の発光部を露出させる位置に無機材料からなる複数のリブを立設した後、リブ上からの成膜によって第１電極の発光部上に有機発光層を有する有機層を形成し、次いでリブ上からの成膜によって第１電極の発光部上に有機層を介して第２電極を形成することを特徴としている。
【手続補正３】
【補正対象書類名】明細書
【補正対象項目名】００４４
【補正方法】変更
【補正の内容】
【００４４】
尚、ウェットエッチングは、基板１１面内におけるエッチングレートの均一性が劣るため、大面積ディスプレイのリブ加工への適用は困難である。このため、大面積ディスプレイの場合には、エッチングレートの面内均一性の高いドライエッチングで下層１４をある程度エッチングした後、ウェットエッチングを行うことによって下層１４のサイドエチングを進めるようにしても良い。ただし、ドライエッチングによって下層１４を完全に除去した場合、無機絶縁膜１３の開口部１３ａにおいては透明電極１２ａの発光部１２ｂがプラズマに曝されてダメージを受けることになる。このため、この発光部１２ｂ上に有機層を形成して得られた有機ＥＬ素子の素子特性が劣化するため、発光部１２ｂ上に下層１４を残した状態でドライエッチングを終了させてウェトエッチングに切り換えることが望ましい。
【手続補正書】
【提出日】平成18年8月30日(2006.8.30)
【手続補正１】
【補正対象書類名】明細書
【補正対象項目名】発明の名称
【補正方法】変更
【補正の内容】
【発明の名称】負荷駆動回路の保護装置及びヘッドユニット
【手続補正２】
【補正対象書類名】明細書
【補正対象項目名】特許請求の範囲
【補正方法】変更
【補正の内容】
【特許請求の範囲】
【請求項１】  信号源からの信号を前段増幅する前段増幅回路と、
電源部から出力される供給電圧を基に前記前段増幅回路からの出力信号を電力増幅し負荷に出力する電力増幅回路と、
前記前段増幅回路のアースと前記電源部のアースとが接続された接地回路と、
前記前段増幅回路の接地回路に流れる電流を検出する電流検出手段と、
前記電流検出手段が前記前段増幅回路の接地回路に流れる電流が所定値以上であることを検出した時に、前記電力増幅回路に流れる電流を抑制する保護手段を備えたことを特徴とする負荷駆動回路の保護装置。
【請求項２】  前記保護手段は、
前記前段増幅回路から前記電力増幅回路への出力を遮断する前段増幅回路出力遮断手段であることを特徴とする請求項１記載の負荷駆動回路の保護装置。
【請求項３】  前記保護手段は、
前記電力増幅回路の動作を停止させる電力増幅回路動作停止手段であることを特徴とする請求項１記載の負荷駆動回路の保護装置。
【請求項４】  前記電源部は、１次側の直流を脈流に変換するスイッチング
回路と２次側の整流平滑回路からなる電源トランスにより構成されるものであって、
前記電力増幅回路動作停止手段は、
前記電源トランスの１次側のスイッチング回路の動作を停止させるものであることを特徴とする請求項３記載の負荷駆動回路の保護装置。
【請求項５】  信号源からの信号を前段増幅する前段増幅回路と、
電源部から出力される供給電圧を基に前記前段増幅回路からの出力信号を電力増幅し負荷に出力する電力増幅回路と、
前記前段増幅回路のアースと前記電源部のアースとが接続された接地回路と、
前記前段増幅回路の接地回路に流れる電流を検出する電流検出手段と、
前記電流検出手段が前記前段増幅回路の接地回路に流れる電流が所定値以上であることを検出した時に、前記前段増幅回路の接地回路に流れる電流を抑制する保護手段を備えたことを特徴とする負荷駆動回路の保護装置。
【請求項６】  前記電流検出手段は、
前記前段増幅回路の接地回路に直列に接続され、電流値が所定値以上になると溶断する電流溶断ヒューズであって、
前記保護手段は、
前記電流溶断ヒューズと並列に接続された高抵抗値を有する抵抗体であることを特徴とする請求項５記載の負荷駆動回路の保護装置。
【請求項７】  前記電流検出手段及び前記保護手段は、
前記前段増幅回路の接地回路に直列に接続された正温度特性抵抗体であって、
電流値が所定値以上になると、該抵抗値が無限大となり、該電流値が所定値以下になると、該抵抗値が通常値に復帰するものであることを特徴とする請求項５記載の負荷駆動回路の保護装置。
【請求項８】  信号源と、該信号源からの信号を前段増幅する前段増幅回路と、
電源部から出力される供給電圧を基に前記前段増幅回路からの出力信号を電力増幅し負荷に出力する電力増幅回路と、
前記前段増幅回路のアースと前記電源部のアースとが接続された接地回路と、
前記前段増幅回路の接地回路に流れる電流を検出する電流検出手段と、
前記電流検出手段が前記前段増幅回路の接地回路に流れる電流が所定値以上であることを検出した時に、前記電力増幅回路に流れる電流を抑制する保護手段を備えたことを特徴とする負荷駆動回路の保護装置を有するヘッドユニット。
【請求項９】  信号源と、該信号源からの信号を前段増幅する前段増幅回路と、
電源部から出力される供給電圧を基に前記前段増幅回路からの出力信号を電力増幅し負荷に出力する電力増幅回路と、
前記前段増幅回路のアースと前記電源部のアースとが接続された接地回路と、
前記前段増幅回路の接地回路に流れる電流を検出する電流検出手段と、
前記電流検出手段が前記前段増幅回路の接地回路に流れる電流が所定値以上であることを検出した時に、前記前段増幅回路の接地回路に流れる電流を抑制する保護手段を備えたことを特徴とする負荷駆動回路の保護装置を有するヘッドユニット。
【手続補正３】
【補正対象書類名】明細書
【補正対象項目名】００１５
【補正方法】変更
【補正の内容】
【００１５】 
【課題を解決するための手段】   
また、前記電流検出手段は、前記前段増幅回路の接地回路に直列に接続され、電流値が所定値以上になると溶断する電流溶断ヒューズであって、前記保護手段は、前記電流溶断ヒューズと並列に接続された高抵抗値を有する抵抗体であることを特徴とするものである。
また、前記電流検出手段及び前記保護手段は、前記前段増幅回路の接地回路に直列に接続された正温度特性抵抗体であって、電流値が所定値以上になると、該抵抗値が無限大となり、該電流値が所定値以下になると、該抵抗値が通常値に復帰するものであることを特徴とするものである。
【手続補正４】
【補正対象書類名】明細書
【補正対象項目名】００１６
【補正方法】変更
【補正の内容】
【００１６】
信号源と、該信号源からの信号を前段増幅する前段増幅回路と、電源部から出力される供給電圧を基に前記前段増幅回路からの出力信号を電力増幅し負荷に出力する電力増幅回路と、前記前段増幅回路のアースと前記電源部のアースとが接続された接地回路と、前記前段増幅回路の接地回路に流れる電流を検出する電流検出手段と、前記電流検出手段が前記前段増幅回路の接地回路に流れる電流が所定値以上であることを検出した時に、前記電力増幅回路に流れる電流を抑制する保護手段を備えたことを特徴とする負荷駆動回路の保護装置を有するヘッドユニットである。
また、信号源と、該信号源からの信号を前段増幅する前段増幅回路と、電源部から出力される供給電圧を基に前記前段増幅回路からの出力信号を電力増幅し負荷に出力する電力増幅回路と、前記前段増幅回路のアースと前記電源部のアースとが接続された接地回路と、前記前段増幅回路の接地回路に流れる電流を検出する電流検出手段と、前記電流検出手段が前記前段増幅回路の接地回路に流れる電流が所定値以上であることを検出した時に、前記前段増幅回路の接地回路に流れる電流を抑制する保護手段を備えたことを特徴とする負荷駆動回路の保護装置を有するヘッドユニットである。
【手続補正書】
【提出日】平成17年11月21日(2005.11.21)
【手続補正１】
【補正対象書類名】明細書
【補正対象項目名】発明の名称
【補正方法】変更
【補正の内容】
【発明の名称】半導体基板
【手続補正２】
【補正対象書類名】明細書
【補正対象項目名】特許請求の範囲
【補正方法】変更
【補正の内容】
【特許請求の範囲】
【請求項１】  支持基板の上方に貼り合せによって設けられた半導体層を有する半導体基板において、前記支持基板の周辺領域の傾斜面に、マークが形成されていることを特徴とする半導体基板。
【請求項２】  前記マークは数字、文字、記号、バーコードからなる群から選択される少なくとも一種である請求項１記載の半導体基板。
【請求項３】  前記マークは、ノッチ又はオリエンテーションフラットの近傍にある請求項１記載の半導体基板。
【請求項４】  前記マークは、前記領域の表面に形成された凹部及び／又は凸部から形成されている請求項１記載の半導体基板。
【請求項５】  前記マークは、レーザ光により形成されたものである請求項１記載の半導体基板。
【請求項６】  前記半導体基板は、前記支持基板と前記半導体層との間に絶縁層を有する請求項１記載の半導体基板。
【請求項７】 前記半導体基板は、水素及び／又は不活性ガスのイオン注入層において分離された前記半導体層を有する請求項１記載の半導体基板。
【請求項８】 前記半導体基板は、多孔質体上に形成された非多孔質半導体層を前記支持基板に移設して形成された前記半導体層を有する請求項１記載の半導体基板。
【手続補正３】
【補正対象書類名】明細書
【補正対象項目名】００２１
【補正方法】変更
【補正の内容】
【００２１】
本発明は、支持基板の上方に貼り合せによって設けられた半導体層を有する半導体基板において、前記支持基板の周辺領域の傾斜面に、マークが形成されていることを特徴とする。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】 圧電基板の主面上に表面波の伝搬方向に沿って複数のＩＤＴ電極を近接配置すると共に、その両側にグレーティング反射器を配設して構成する縦結合多重モードＳＡＷフィルタにおいて、前記グレーティング反射器を１波長当たり３本の電極指にて構成したことを特徴とする縦結合多重モードＳＡＷフィルタ。
【請求項２】 前記圧電基板の電気機械結合係数の自乗をｋ2、前記グレーティング反射器のモード間結合係数をκ12'としたとき、該モード間結合係数κ12'を６．４×ｋ2／π2≦２×｜κ12'｜≦３×６．４×ｋ2／π2 を満たすように設定したことを特徴とする請求項１記載の縦結合二重モードＳＡＷフィルタ。
【請求項３】  前記グレーティング反射器の１波長当たりの３本の電極指のうち、少なくとも２本の電極指幅は互いに異なっていることを特徴とする請求項１又は２に記載の縦結合二重モードＳＡＷフィルタ。
【手続補正２】
【補正対象書類名】明細書
【補正対象項目名】０００６
【補正方法】変更
【補正の内容】
【０００６】
【課題を解決するための手段】上記目的を達成するために本発明に係る縦結合多重モードＳＡＷフィルタの請求項１記載の発明は、圧電基板の主面上に表面波の伝搬方向に沿って複数のＩＤＴ電極を近接配置すると共に、その両側にグレーティング反射器を配設して構成する縦結合多重モードＳＡＷフィルタにおいて、前記グレーティング反射器を１波長当たり３本の電極指にて構成したことを特徴とする縦結合多重モードＳＡＷフィルタである。請求項２記載の発明は、前記圧電基板の電気機械結合係数の自乗をｋ2、前記グレーティング反射器のモード間結合係数をκ12'としたとき、該モード間結合係数κ12'を６．４×ｋ2／π2  ≦２×｜κ12'｜≦３×６．４×ｋ2／π2 を満たすように設定したことを特徴とする請求項１記載の縦結合二重モードＳＡＷフィルタである。請求項３記載の発明は、前記グレーティング反射器の１波長当たりの３本の電極指のうち、少なくとも２本の電極指幅は互いに異なっていることを特徴とする請求項１又は２に記載の縦結合二重モードＳＡＷフィルタである。
【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】  撮像素子と、
被写体からの光を前記撮像素子に導く光路と、
光が透過されるフィルタと、
前記フィルタを有効位置と無効位置とに移動させるフィルタ切換手段とを備え、
前記有効位置は、前記フィルタが前記光路上に臨み光がフィルタを透過する位置であり、
前記無効位置は、前記フィルタが前記光路上から退避する位置であるように構成された撮像装置において、
前記フィルタが前記有効位置と無効位置以外の位置にあるときにフィルタの位置の異常を示す警告を発する警告手段を設けた、
ことを特徴とする撮像装置。
【請求項２】  前記フィルタは光が透過されるフィルタ本体と、このフィルタ本体を支持するフィルタ支持部とから構成され、前記光路上を導かれる光は、前記フィルタが前記有効位置に位置している状態では前記フィルタ支持部に妨げられないで前記フィルタ本体の部分を透過し、前記フィルタが前記無効位置に位置している状態では前記フィルタ本体および前記フィルタ支持部に妨げられないように構成されていることを特徴とする請求項１記載の撮像装置。
【請求項３】  所定の情報を表示する表示パネルが設けられ、前記警告手段による前記フィルタ位置の異常を示す警告は前記表示パネルの表示によって行なわれることを特徴とする請求項１記載の撮像装置。
【請求項４】  前記警告手段は前記フィルタが前記有効位置と無効位置以外の位置に移動されてから所定時間が経過したか否かを判定する判定手段を有し、前記警告手段による前記フィルタ位置の異常を示す警告は前記判定手段の判定結果に基づいて行なわれることを特徴とする請求項１記載の撮像装置。
【請求項５】  前記フィルタは入射光の波長成分を変えることなく前記撮像素子に到達する透過光量を減少させるように構成されたＮＤフィルターで構成されていることを特徴とする請求項１記載の撮像装置。
【請求項６】  前記撮像素子はＣＣＤであることを特徴とする請求項１記載の撮像装置。
【請求項７】  前記フィルタの位置を前記有効位置および無効位置に対応して位置決めするクリック機構が設けられていることを特徴とする請求項１記載の撮像装置。
【請求項８】  前記１以上のフィルタは互いに別体に構成された第１フィルタと第２フィルタの２つのフィルタであり、前記警告手段は、第１、第２、第３検知器を有し、前記第１検知器は前記第１フィルタが前記有効位置にあるときにのみ検知状態となるように構成され、前記第２検知器は前記第１フィルタが前記無効位置にあるときにのみ検知状態となるように構成され、前記第３検知器は前記第２フィルタが前記無効位置にあるときにのみ検知状態となるように構成され、前記警告手段による前記第１、第２フィルタの位置の異常を示す警告は、前記第１、第２、第３検知器の何れもが非検知状態となったことに基づいて発せられることを特徴とする請求項１記載の撮像装置。
【請求項９】  前記警告手段は前記第１、第２、第３検知器の何れもが非検知状態となってから所定時間が経過したか否かを判定する判定手段を有し、前記警告手段による前記フィルタ位置の異常を示す警告は前記判定手段の判定結果に基づいて行なわれることを特徴とする請求項８記載の撮像装置。
【請求項１０】  前記フィルタ切換手段による前記第１、第２フィルタの移動は、前記第１フィルタのみを有効位置に位置させる状態と、前記第２フィルタのみを前記有効位置に位置させる状態と、前記第１、第２フィルタの双方を前記無効位置に位置させる状態との３つの状態の何れか１つの状態をとるように行われることを特徴とする請求項８記載の撮像装置。
【請求項１１】  前記第１、第２、第３検知器はそれぞれフォトインタラプタから構成されていることを特徴とする請求項８記載の撮像装置。
【請求項１２】  前記第１検知器は前記第１フィルタに設けられた第１被検知部を検知し、前記第２検知器は第１フィルタに設けられた第２被検知部を検知し、前記第３検知器は第２フィルタに設けられた第３被検知部を検知するように構成されていることを特徴する請求項１１記載の撮像装置。
【請求項１３】  前記第１、第２フィルタは入射光の波長成分を変えることなく前記撮像素子に到達する透過光量を減少させるように構成されたＮＤフィルターで構成され、前記第１、第２フィルタのＮＤフィルターは前記透過光量が互いに異なるように構成されていることを特徴とする請求項８記載の撮像装置。
【請求項１４】前記光路上において前記撮像素子の前方には撮影レンズが配設され、前記フィルタは前記撮影レンズの前方又は後方に配設されていることを特徴とする請求項１記載の撮像装置。
【請求項１５】前記撮影レンズは撮影倍率が増減可能なズームレンズから構成されていることを特徴とする請求項１４記載の撮像装置。
【手続補正書】
【提出日】平成18年5月16日(2006.5.16)
【手続補正１】
【補正対象書類名】明細書
【補正対象項目名】００１１
【補正方法】変更
【補正の内容】
【００１１】
すなわち、本発明は、生物によるバイオフィルムを表面に付着した固体部材から該バイオフィルムを除去する方法であって、バイオフィルムの付着部分を液体と接触させながら、それにパルスレーザを照射することを特徴とするバイオフィルム除去方法と、その方法に用いる、レーザパルス発生源とレーザの進行方向を変更させる揺動ミラーと揺動ミラーからのレーザをバイオフィルムに照射するためのレーザ出力口とを備え、水密的にバイオフィルム付着固体表面から隔離されているレーザ発生部、レーザ発生部とバイオフィルム付着固体表面との間に、バイオフィルム付着面に接触させて液体を連続的に供給する液体供給部、バイオフィルム付着面から脱離したバイオフィルムを吸引除去する機構を備えた除去液吸引部及びバイオフィルム付着固体表面をレーザ発生部のレーザ出力口に対し、連続的に移動させるための物体移動機構から構成されたことを特徴とするバイオフィルム除去装置、及びレーザパルス発生源とレーザの進行方向を変更させる揺動ミラーと揺動ミラーからのレーザをバイオフィルムに照射するためのレーザ出力口とを備え、該レーザ出力口が透明固体のバイオフィルム付着面とは反対側の面に対向して配置されたレーザ発生部、該透明固体のバイオフィルム付着面に接触させて液体を連続的に供給する液体供給部、バイオフィルム付着面から脱離したバイオフィルムを吸引除去する機構を備えた除去液吸引部及びバイオフィルム付着固体表面の反対側の面をレーザ発生部のレーザ出力口に対し、連続的に移動させるための物体移動機構から構成されたことを特徴とするバイオフィルム除去装置を提供するものである。
【手続補正２】
【補正対象書類名】明細書
【補正対象項目名】００１６
【補正方法】変更
【補正の内容】
【００１６】
上記のウインド４の内側部分は、清浄液流３から液密的に隔離され、レーザ発生部及びレンズとミラーの光学系の収容部に清浄液流３が流入しないようになっている。屈折ミラー７は、矢印方向に揺動可能となっており、これを揺動させることによってウインド面に万遍なくレーザを分散照射させることができる。また、この装置には、別途設けた物体移動機構によりバイオフィルム面に平行に移動可能として、基体上のバイオフィルムを連続的に処理しうるようになっている。
【手続補正３】
【補正対象書類名】明細書
【補正対象項目名】００１７
【補正方法】変更
【補正の内容】
【００１７】
図２は、図１とは異なった構造のバイオフィルム除去装置の断面図であって、これはバイオフィルムが付着している基体がレーザに対し透明なものの場合に用いられる。
この図において、バイオフィルム２を付着した透明基体１には、バイオフィルム付着面の反対側から、レーザビーム５がレンズ６を経て、ミラー７により屈折され、ウインド４を通って照射される。そして、バイオフィルム２には、清浄液供給口８から導入された清浄液流３が接触し、これを除去しながら除去液流路（図示せず）を通り、排出される。この装置においてもミラー７は揺動可能に取り付けられ、レーザ発生部及び光学系の収容部は、物体移動機構により、バイオフィルム面に対し平行移動しうるようになっている。
【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】  脱塩素能を有する遊離アミノ酸を添加する手段を有する浄水シャワーであって、前記脱塩素能を有する遊離アミノ酸が、ヒスチジン、リジン、アルギニン、フェニルアラニン、オルニチンの少なくとも１つである浄水シャワー。
【請求項２】  非通水時には余圧により封止される添加剤添加口を有し、該添加剤添加口の下流側に管オリフィスを有する浄水シャワー。
【請求項３】  前記添加剤添加口は、通水時に、前記管オリフィスにより生じる前記余圧よりも大きな負圧により開口するものである請求項２に記載の浄水シャワー。
以上
【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  第１所定範囲を周期的にカウントアップしていく大当たりカウンタの値を、パチンコ球が始動口に入賞したタイミングで第１取得値として確保し、前記第１取得値が予め定められた大当たり値と一致すると判定したときは、遊技者に有利な大当たり遊技状態とするとともに、前記大当たり遊技状態では、所定要件を満たすまで大入賞口が連続的に開放されるラウンドが複数回まで設定され、今回のラウンド中に継続要件を満たすことにより次回のラウンドに進行することができるパチンコ機において、
前記継続要件とは、第２所定範囲を周期的にカウントアップしていく継続カウンタの値を、パチンコ球が継続口に入賞したタイミングで第２取得値として確保し、前記第２取得値が予め定められた継続値と一致すると判定されることであること、を特徴とするパチンコ機。
【請求項２】  請求項１に記載するパチンコ機であって、
前記継続要件が満たされた際に、複数の継続図柄のうち特定のものが図柄表示装置の表示器に表示されること、を特徴とするパチンコ機。
【請求項３】  請求項１又は請求項２に記載するパチンコ機であって、
前記継続口を前記大入賞口内に備えたこと、を特徴とするパチンコ機。
【請求項４】  請求項１又は請求項２に記載するパチンコ機であって、
前記継続口を前記大入賞口外に備えたこと、を特徴とするパチンコ機。
【請求項５】  請求項１乃至請求項４のいずれか一つに記載するパチンコ機であって、
前記表示器に表示される前記継続図柄が変動している間に、パチンコ球が前記継続口に入賞すると、予め定められた最大保留数に達するまで、前記第２取得値を時系列的に順に記憶しておくこと、を特徴とするパチンコ機。
【請求項６】  請求項５に記載するパチンコ機であって、
今回のラウンド中に継続要件を満たした場合には、既に記憶されている各第２取得値を消去するとともに、次回のラウンドに進行するまで、前記第２取得値の確保を中止すること、を特徴とするパチンコ機。
【手続補正２】
【補正対象書類名】明細書
【補正対象項目名】００１０
【補正方法】変更
【補正の内容】
【００１０】
また、請求項４に係る発明は、請求項１又は請求項２に記載するパチンコ機であって、前記継続口を前記大入賞口外に備えたこと、を特徴としている。
【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  遊技機本体の裏面側に取り付けられる台座部材を有し、制御装置又はその他の部材を前記台座部材を介して遊技機本体に搭載する構成とした遊技機において、
前記台座部材には、前記制御装置又はその他の部材を装着するための装着部を遊技機本体の裏面から離間されるようにして設け、前記装着部よりも遊技機本体側には当該装着部の背後空間に対する侵入を阻止する遮蔽部を設けたことを特徴とする遊技機。
【請求項２】  前記台座部材は、前記装着部を遊技機本体の裏面から離間させるための複数の脚部を有し、その脚部の間に前記遮蔽部を設けたことを特徴とする請求項１に記載の遊技機。
【請求項３】  遊技領域が形成され遊技機本体に着脱可能に設けられる遊技盤と、該遊技盤の裏面側に取り付けられる台座部材とを有し、制御装置又はその他の部材を前記台座部材を介して遊技盤に搭載する構成とした遊技機において、
前記台座部材には、前記制御装置又はその他の部材を装着するための装着部を遊技盤の裏面から離間されるようにして設け、前記装着部よりも遊技盤側には当該装着部の背後空間に対する侵入を阻止する遮蔽部を設けたことを特徴とする遊技機。
【請求項４】  前記台座部材は、前記装着部を遊技盤の裏面から離間させるための複数の脚部を有し、その脚部の間に前記遮蔽部を設けたことを特徴とする請求項３に記載の遊技機。
【請求項５】  前記装着部の背後空間にて制御装置又はその他の部材を締結部材により締結する構成としたことを特徴とする請求項１乃至４のいずれかに記載の遊技機。
【請求項６】  前記制御装置は、制御基板とこれを収容するケース部材とからなり、前記ケース部材より延びる前記締結部材としての係止具を前記装着部の背後空間に配し、該装着部の背後空間にて係止状態としたことを特徴とする請求項５に記載の遊技機。
【請求項７】  前記装着部の背後空間に通じる一つの開口部を、前記台座部材に隣接して設けられる別の構成部材で塞ぎ、他の開口部を前記遮蔽部で塞いだことを特徴とする請求項１乃至６のいずれかに記載の遊技機。
【請求項８】  絵柄を変動表示する絵柄表示ユニットを遊技機本体の裏面側に突出した状態で配設した遊技機であって、前記装着部の背後空間に通じる一つの開口部を前記絵柄表示ユニットで塞ぎ、他の開口部を前記遮蔽部で塞いだことを特徴とする請求項１乃至６のいずれかに記載の遊技機。
【請求項９】  遊技機本体の裏面側には、絵柄を変動表示する絵柄表示ユニットを突出した状態で配設するとともに、この絵柄表示ユニットに隣接するようにして台座部材を取り付け、制御装置又はその他の部材を前記台座部材を介して遊技機本体に搭載する構成とした遊技機において、
前記台座部材には、前記制御装置又はその他の部材を装着するための装着部を遊技機本体の裏面から離間されるようにして設け、前記装着部よりも遊技機本体側には少なくとも前記絵柄表示ユニットに隣接しない部位に、装着部の背後空間に対する侵入を阻止する遮蔽部を設けたことを特徴とする遊技機。
【請求項１０】  前記装着部の背後空間にて制御装置又はその他の部材を締結部材により締結する構成としたことを特徴とする請求項９に記載の遊技機。
【請求項１１】  前記制御装置は、制御基板とこれを収容するケース部材とからなり、前記ケース部材より延びる前記締結部材としての係止具を前記装着部の背後空間に配し、該装着部の背後空間にて係止状態としたことを特徴とする請求項１０に記載の遊技機。
【請求項１２】  遊技の主要な制御を管理する主制御装置を備えた遊技機であって、前記台座部材には、前記主制御装置を装着するための装着部を遊技機本体の裏面から離間されるようにして設け、前記主制御装置用の装着部よりも遊技機本体側に前記遮蔽部を設けたことを特徴とする請求項１乃至１１のいずれかに記載の遊技機。
【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  遊技機本体の裏面側に取り付けられる台座部材を有し、複数の制御装置を前記台座部材を介して遊技機本体に搭載する構成とした遊技機において、
前記台座部材には、各制御装置を装着するための複数の装着部を設け、これら複数の装着部を互いに交差する向きに延びるように配置したことを特徴とする遊技機。
【請求項２】  遊技機本体の裏面側には、遊技の演出に用いる演出用ユニットを突出した状態で配設するとともに、この演出用ユニットに隣接するようにして台座部材を取り付け、複数の制御装置を前記台座部材を介して遊技機本体に搭載する構成とした遊技機において、
前記台座部材には、各制御装置を装着するための複数の装着部を設け、これら複数の装着部を前記演出用ユニットを迂回し、且つ互いに交差する向きに延びるように配置したことを特徴とする遊技機。
【請求項３】  所定の遊技状態となることで所定個数の遊技球を払い出す球払出遊技機であって、払出用の球通路等を含む払出機構と前記台座部材とを前記演出用ユニットを囲むように配置したことを特徴とする請求項２に記載の遊技機。
【請求項４】  前記複数の装着部は、遊技機本体の裏面に対してそれぞれ平行な平坦面よりなることを特徴とする請求項１乃至３のいずれかに記載の遊技機。
【請求項５】  遊技領域が形成され遊技機本体に着脱可能に設けられる遊技盤と、該遊技盤の裏面側に取り付けられる台座部材とを有し、複数の制御装置を前記台座部材を介して遊技盤に搭載する構成とした遊技機において、
前記台座部材には、各制御装置を装着するための複数の装着部を設け、これら複数の装着部を互いに交差する向きに延びるように配置したことを特徴とする遊技機。
【請求項６】  遊技領域が形成され遊技機本体に着脱可能に設けられる遊技盤と、遊技盤の裏面側に突出した状態で配設され遊技の演出に用いる演出用ユニットと、この演出用ユニットに隣接するようにして遊技盤の裏面側に取り付けられる台座部材とを有し、複数の制御装置を前記台座部材を介して遊技盤に搭載する構成とした遊技機において、
前記台座部材には、各制御装置を装着するための複数の装着部を設け、これら複数の装着部を前記演出用ユニットを迂回し、且つ互いに交差する向きに延びるように配置したことを特徴とする遊技機。
【請求項７】  所定の遊技状態となることで所定個数の遊技球を払い出す球払出遊技機であって、払出用の球通路等を含む払出機構と前記台座部材とを前記演出用ユニットを囲むように配置したことを特徴とする請求項６に記載の遊技機。
【請求項８】  前記遊技盤は少なくとも直交する２辺を有し、当該遊技盤の２辺に沿うようにして前記複数の装着部を形成したことを特徴とする請求項５乃至７のいずれかに記載の遊技機。
【請求項９】  前記複数の装着部は、遊技盤の裏面に対してそれぞれ平行な平坦面よりなることを特徴とする請求項５乃至８のいずれかに記載の遊技機。
【請求項１０】  前記台座部材は、ほぼ直角に折り曲げ形成されて２方向に延びる少なくとも２つの装着部を有することを特徴とする請求項１乃至９のいずれかに記載の遊技機。
【請求項１１】  前記複数の装着部を段差状に形成したことを特徴とする請求項１乃至１０のいずれかに記載の遊技機。
【請求項１２】  前記複数の装着部を少なくとも高低２段に設け、それら装着部の段差を下段側に装着される制御装置の高さ寸法よりも大きくしたことを特徴とする請求項１乃至１１のいずれかに記載の遊技機。
【請求項１３】  遊技機の前後方向に重複した状態で前記複数の制御装置をそれぞれの装着部に装着したことを特徴とする請求項１１又は１２に記載の遊技機。
【請求項１４】  前記台座部材に装着される複数の制御装置のうち、１つは遊技の主要な制御を管理する主制御装置であり、他は主制御装置に付随して動作する別の制御装置であることを特徴とする請求項１乃至１３のいずれかに記載の遊技機。
【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  遊技機本体の裏面側に取り付けられる台座部材を有し、複数の制御装置又はその他の部材を前記台座部材を介して遊技機本体に搭載する構成とした遊技機において、
前記台座部材には、各制御装置又はその他の部材を装着するための複数の装着部を設け、これら複数の装着部を段差状に形成したことを特徴とする遊技機。
【請求項２】  前記複数の装着部は、遊技機本体の裏面に対してそれぞれ平行な平坦面よりなることを特徴とする請求項１に記載の遊技機。
【請求項３】  遊技領域が形成され遊技機本体に着脱可能に設けられる遊技盤と、該遊技盤の裏面側に取り付けられる台座部材とを有し、複数の制御装置又はその他の部材を前記台座部材を介して遊技盤に搭載する構成とした遊技機において、
前記台座部材には、各制御装置又はその他の部材を装着するための複数の装着部を設け、これら複数の装着部を段差状に形成したことを特徴とする遊技機。
【請求項４】  前記複数の装着部は、遊技盤の裏面に対してそれぞれ平行な平坦面よりなることを特徴とする請求項３に記載の遊技機。
【請求項５】  前記複数の装着部を少なくとも高低２段に設け、それら装着部の段差を、下段側に装着される制御装置又はその他の部材の高さ寸法よりも大きくしたことを特徴とする請求項１乃至４のいずれかに記載の遊技機。
【請求項６】  遊技機の前後方向に重複した状態で前記複数の制御装置又はその他の部材をそれぞれの装着部に装着したことを特徴とする請求項１乃至５のいずれかに記載の遊技機。
【請求項７】  前記複数の制御装置又はその他の部材が重複する部位で、上段側の制御装置又はその他の部材の一部を前記台座部材より浮かせる構成としたことを特徴とする請求項６に記載の遊技機。
【請求項８】  前記複数の制御装置又はその他の部材が重複する部位では、重複する制御装置又はその他の部材の間に所定の隙間があることを特徴とする請求項７に記載の遊技機。
【請求項９】  重複して配置される複数の制御装置又はその他の部材のうち、下側となる制御装置又はその他の部材は、その少なくとも一部が隠れないように配置されることを特徴とする請求項６乃至８のいずれかに記載の遊技機。
【請求項１０】  前記複数の装着部のうち、下段側には比較的高い制御装置又はその他の部材を装着し、上段側には比較的低い制御装置又はその他の部材を装着する構成としたことを特徴とする請求項１乃至９のいずれかに記載の遊技機。
【請求項１１】  遊技機本体の裏面側から見て前記複数の装着部を互いに交差する向きに延びるようにして形成したことを特徴とする請求項１乃至１０のいずれかに記載の遊技機。
【請求項１２】  前記台座部材に装着される複数の制御装置のうち、１つは遊技の主要な制御を管理する主制御装置であり、他は主制御装置に付随して動作する別の制御装置であることを特徴とする請求項１乃至１１のいずれかに記載の遊技機。
【請求項１３】  前記主制御装置を上段側の装着部に装着し、別の制御装置を下段側の装着部に装着したことを特徴とする請求項１２に記載の遊技機。
【請求項１４】  前記主制御装置は制御基板がケース部材に収容されてなり、ケース部材は内部を視認可能な構成であることを特徴とする請求項１３に記載の遊技機。
【請求項１５】  段差状に設けられる前記複数の装着部のうち、下段側には、遊技者の利益に対する関連性が比較的低い制御装置又はその他の部材を装着したことを特徴とする請求項１乃至１４のいずれかに記載の遊技機。
【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】
図柄の変動表示が可能な図柄表示装置と、始動入賞口に遊技球が入賞する毎に乱数を取得する乱数取得手段と、前記乱数取得手段で取得された乱数に基づき特別遊技を実行するか否かの判定を実行する実行判定手段と、前記図柄表示装置に前記図柄を変動表示させた後に停止表示させる図柄変動過程を前記実行判定手段による判定結果に基づいて制御する図柄制御手段と、前記図柄制御手段により停止表示された前記図柄が予め定められた当たり図柄であるときに、遊技領域に設けられた可変入賞口を入賞容易とする遊技を行わせる特別遊技実行手段とを備えた遊技機において、
図柄変動過程の表示終了後に行われる遊技状態について予告可能であることを遊技者に報知する第１演出画像と、前記図柄変動過程の表示終了後に行われる遊技状態について遊技者に予告する第２演出画像とから構成されている演出パターンを複数記憶している演出パターン記憶手段と、
前記乱数取得手段により取得された乱数に基づいて、前記演出パターン記憶手段に記憶されている複数の演出パターンからいずれかの演出パターンを選択する演出パターン選択手段と、
前記演出パターン選択手段により選択された演出パターンの表示を前記図柄表示装置にて実行する演出パターン実行手段と、
遊技者により操作可能な操作手段と、
前記操作手段における所定操作の検出を行う操作検出手段とを備え、
前記演出パターン実行手段は、前記演出パターン選択手段により選択された演出パターンに設定されている第１演出画像の表示中に、前記操作検出手段により前記操作手段の所定操作が検出された場合は、前記第１演出画像の表示にかわって第２演出画像の表示を実行することを特徴とする弾球遊技機。
【請求項２】
前記所定操作とは、前記演出パターン選択手段により選択された演出パターンの第１演出画像の表示が実行されてから予め設定されている第１制限時間内に前記操作手段の操作を行い、その後予め設定されている第２制限時間内にこの操作を止めるように設定されていることを特徴とする請求項１に記載の弾球遊技機。
【請求項３】
前記第１制限時間及び前記第２制限時間は、前記演出パターン毎に予め設定されていることを特徴とする請求項２に記載の弾球遊技機。
【請求項４】
前記演出パターン選択手段により選択された演出パターンに基づき、前記操作手段の操作を有効にするか否かの判定をする操作有効判定手段を備えることを特徴とする請求項１〜３のいずれかに記載の弾球遊技機。
【請求項５】
前記操作有効判定手段により前記操作手段の操作を有効にすると判定されたことを遊技者に報知する操作有効報知手段を備えることを特徴とする請求項４に記載の弾球遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正書】
【提出日】平成18年1月31日(2006.1.31)
【手続補正１】
【補正対象書類名】明細書
【補正対象項目名】０００７
【補正方法】変更
【補正の内容】
【０００７】
【特許文献１】中華民國専利公告第１５８８３６号公報（図１１、図１２）
【特許文献２】中華民國専利公告第４６５５９６号公報（図１３、図１４）
【手続補正２】
【補正対象書類名】明細書
【補正対象項目名】０００９
【補正方法】変更
【補正の内容】
【０００９】
すなわち、シリンダカバー５５の取付ピン５７，５７をシリンダベッド５０の取付孔５８，５８に挿入する際、取付孔５８，５８がルーパ機構や送り機構よりも下方位置にあるため、これら両機構が邪魔になって作業者からは取付孔５８，５８の位置が確認し辛く、特に縫製作業の途中で新しいルーパ糸の挿通作業を行う際、多くの場合、縫製途上の布がシリンダベッド５０に被さったままであることから、余計に取付孔５８，５８の位置が確認しにくかった。このため、作業者は、シリンダカバー５５をシリンダベッド５０に取り付ける際に、一々屈んで取付孔５８，５８の位置を確認する必要があり、取扱性が悪いといった問題があった。また、それとともに、取付ピン５７，５７は、シリンダカバー５５の比較的肉薄となっている基端部の端縁に溶接等により取着されているとともに、その長さも単にシリンダカバー５５の位置決め固定に足るだけの比較的短いものとされているため、縫製時にシリンダカバー５５に対して上方から加わる強い衝撃に十分耐えることができず、その結果、ミシンの振動によりシリンダカバーがはずれやすくなったり、シリンダカバーの振動音が増幅されるといった問題があるばかりか、金属疲労によって取付ピン５７，５７がその根元から折損することがあり、耐久性に劣るといった問題があった。
【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】
一対の発光素子と受光素子とを備え、被験者の手首の動脈から反射された発光素子からの反射光を受光素子で検出して、上記被験者の脈波を検出する脈波センサにおいて、上記発光素子と受光素子とを上記被験者の手首の動脈に沿い得るように一直線上に配置したことを特徴とする脈波センサ。
【請求項２】
上記発光素子として近赤外ＬＥＤを用いたことを特徴とする請求項１に記載の脈波センサ。
【請求項３】
上記発光素子と受光素子とを収納するセンサケースの手首に当接する面の輪郭に直線部を設け、上記センサケースの上記直線部とは反対側に、上記当接面から、手首断面の輪郭に沿うような傾斜を持って手首側に突出する押え部材を設けたことを特徴とする請求項１または請求項２に記載の脈波センサ。
【請求項４】
上記請求項１から３のいずれかに記載の脈波センサと、上記脈波センサの出力に基づいて被験者の脈拍数を算出する手段と、上記出力の大きさから脈拍の強度を算出する手段と、上記算出された脈拍数と脈拍強度とをそれぞれ表示する表示手段とを備えたことを特徴とする脈拍数検出装置。
【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】
細長な挿入部の先端部にステレオ計測用光学系を構成する撮像素子を有する内視鏡と、
この内視鏡の前記撮像素子から伝送された撮像信号を基に、映像信号を生成する画像処理部と、
この画像処理部で生成された映像信号を受けて内視鏡画像を表示する表示装置と、
前記撮像素子から伝送された撮像信号を基に計測処理を行う演算処理部と、
前記ステレオ計測用光学系の計測精度を確認するための複数の孔を所定間隔に配置して構成した検査用指標を有する計測精度確認具と、を具備することを特徴とする計測内視鏡装置。
【請求項２】
前記内視鏡の挿入部の先端部には、
着脱自在で、少なくともステレオ計測用光学アダプタを含む複数の光学アダプタを備えていることを特徴とする請求項１に記載の計測内視鏡装置。
【請求項３】
前記計測精度確認具の検査用指標を構成する前記孔の周辺及び前記孔の内面側にそれぞれ所定の表面処理を施したことを特徴とする請求項１又は２に記載の計測内視鏡装置。
【請求項４】
前記孔の周辺には、無光沢仕上げを施し、
前記孔の内面には、黒の艶消し処理を施したことを特徴とする請求項３に記載の計測内視鏡装置。
【請求項５】
前記計測精度確認具は、
複数の孔を貫通して検査用指標を構成した薄板状の指標板と、
前記指標板の貫通した孔を塞ぐことを防止する反射防止穴を有するプレート本体とからなることを特徴とする請求項３に記載の計測内視鏡装置。
【請求項６】
前記反射防止穴は、
複数の貫通した孔を塞ぐことを防止する大きさの１つの穴であることを特徴とする請求項４に記載の計測内視鏡装置。
【請求項７】
前記反射防止穴は、
複数の貫通した孔にそれぞれ対応する大きさの複数の穴であることを特徴とする請求項４に記載の計測内視鏡装置。
【請求項８】
前記計測精度確認具は、
プレート本体に複数の孔を所定間隔に配置して構成したことを特徴とする請求項３に記載の計測内視鏡装置。
【手続補正２】
【補正対象書類名】明細書
【補正対象項目名】００１０
【補正方法】変更
【補正の内容】
【００１０】
【課題を解決するための手段】
本発明の計測内視鏡装置は、細長な挿入部の先端部にステレオ計測用光学系を構成する撮像素子を有する内視鏡と、この内視鏡の前記撮像素子から伝送された撮像信号を基に、映像信号を生成する画像処理部と、この画像処理部で生成された映像信号を受けて内視鏡画像を表示する表示装置と、前記撮像素子から伝送された撮像信号を基に計測処理を行う演算処理部と、前記ステレオ計測用光学系の計測精度を確認するための複数の孔を所定間隔に配置して構成した検査用指標を有する計測精度確認具とを具備している。
【手続補正３】
【補正対象書類名】明細書
【補正対象項目名】００１１
【補正方法】変更
【補正の内容】
【００１１】
また、前記内視鏡の挿入部の先端部には、着脱自在で、少なくともステレオ計測用光学アダプタを含む複数の光学アダプタを備えている。
また、前記計測精度確認具の検査用指標を構成する前記孔の周辺及び前記孔の内面側にそれぞれ所定の表面処理を施している。
また、前記孔の周辺には、無光沢仕上げを施し、前記孔の内面側には、黒の艶消し処理を施している。
また、前記計測精度確認具は、複数の孔を貫通して検査用指標を構成した薄板状の指標板と、前記指標板の貫通した孔を塞ぐことを防止する反射防止穴を有するプレート本体とからなる。
また、前記反射防止穴は、複数の貫通した孔を塞ぐことを防止する大きさの１つの穴である。
また、前記反射防止穴は、複数の貫通した孔にそれぞれ対応する大きさの複数の穴である。
【手続補正４】
【補正対象書類名】図面
【補正対象項目名】図３
【補正方法】変更
【補正の内容】
【図３】
2004275359.tif 000001